(57)【特許請求の範囲】
【請求項１】
空洞部を有するケーシングと、
回転軸により前記ケーシングに対して回転自在に軸支され操作孔および把持可能な把持部の少なくともいずれかを有する操作部と、
前記回転軸を介して前記操作部から伝達された力により回転する送り部と、
それぞれに薬品が包装された複数の包装袋を有する包装袋帯を保持し、前記空洞部に挿入された状態で前記送り部と上面との間で前記包装袋帯のうちの一部を挟設するカセットと、
を備え、
前記送り部が所定の方向へ回転すると前記包装袋帯が前記送り部から力を受けて移動し、前記包装袋が前記ケーシングの外部および前記ケーシングの内部の少なくともいずれかへ送られる薬品管理器具。
【請求項２】
前記ケーシングは、光透過性の材料により形成された第１の窓部を有し、
前記外部へ送り出される前の状態の前記包装袋に記載された事項を前記第１の窓部を通して確認可能な請求項１記載の薬品管理器具。
【請求項３】
前記ケーシングは、光透過性の材料により形成された第２の窓部を有し、
前記空洞部に挿入された状態の前記カセットに保持された前記包装袋帯の前記包装袋を前記第２の窓部を通して確認可能な請求項１または２に記載の薬品管理器具。
【請求項４】
前記ケーシングは、凹形状を呈する貼付部を有する請求項１〜３のいずれか１つに記載の薬品管理器具。
【請求項５】
前記ケーシングは、内面に設けられた案内部を有し、
前記カセットは、前記案内部と係合可能な突起部を有し、
前記カセットが前記空洞部に挿入され、前記突起部が前記案内部と係合しつつ前記案内部の形状に沿って移動すると、前記上面を形成する前記カセットの上部の端部は、一旦下方へ撓んだ後、上方へ撓む請求項１〜４のいずれか１つに記載の薬品管理器具。
【発明の詳細な説明】
【技術分野】
【０００１】
本発明の態様は、一般的に、薬品管理器具に関する。
【背景技術】
【０００２】
例えば、医師が複数の種類の薬品を患者に処方した場合において、患者が一回あたり（例えば朝食後）に服用する薬品の種類あるいは薬品の数が比較的多いことがある。この場合において、患者は、薬品を服用することを煩雑に感ずることがある。あるいは、例えば年配の患者などは、いずれの種類の薬品をいずれの数だけ服用すればよいか分からないことがある。これに対して、一回当たりに服用する薬品が１つの袋に包装（一包化）された包装袋がある。また、そのような包装袋が連続した包装袋帯がある。これによれば、例えば、朝食後、昼食後および夕食後のそれぞれの１回あたりに服用する薬品は、より明確になる。
【０００３】
しかし、例えば年配の患者などは、薬品を服用するときに、包装袋帯の両端部のうちのいずれの端部の包装袋の薬品を服用すればよいか分からない場合がある。そのため、例えば薬品が一包化された包装袋の包装袋帯を管理する点においては、さらなる改善が望まれている。
【先行技術文献】
【特許文献】
【０００４】
【特許文献１】特開２００１−１３９０３５号公報
【発明の概要】
【発明が解決しようとする課題】
【０００５】
本発明は、かかる課題の認識に基づいてなされたものであり、薬品の管理を向上させることができる薬品管理器具を提供することを目的とする。
【課題を解決するための手段】
【０００６】
実施形態によれば、ケーシングと、操作部と、送り部と、カセットと、を備えた薬品管理器具が提供される。前記ケーシングは、空洞部を有する。前記操作部は、回転軸により前記ケーシングに対して回転自在に軸支され操作孔および把持可能な把持部の少なくともいずれかを有する。前記送り部は、前記回転軸を介して前記操作部から伝達された力により回転する。前記カセットは、それぞれに薬品が包装された複数の包装袋を有する包装袋帯を保持し、前記空洞部に挿入された状態で前記送り部と上面との間で前記包装袋帯のうちの一部を挟設する。前記送り部が所定の方向へ回転すると、前記包装袋帯が前記送り部から力を受けて移動する。前記包装袋が、前記ケーシングの外部および前記ケーシングの内部の少なくともいずれかへ送られる。
【発明の効果】
【０００７】
本発明の態様によれば、薬品の管理を向上させることができる薬品管理器具が提供される。
【図面の簡単な説明】
【０００８】
【図１】本発明の実施の形態にかかる薬品管理器具を表す模式的斜視図である。
【図２】薬品が一包化された包装袋の包装袋帯を例示する模式的平面図である。
【図３】図１に表した切断面Ａ−Ａにおける模式的断面図である。
【図４】図３に表した切断面Ｂ−Ｂにおける模式的断面図である。
【図５】本発明の他の実施の形態にかかる薬品管理器具を表す模式的斜視図である。
【発明を実施するための形態】
【０００９】
以下、本発明の実施の形態について図面を参照しつつ説明する。なお、各図面中、同様の構成要素には同一の符号を付して詳細な説明は適宜省略する。  
図１は、本発明の実施の形態にかかる薬品管理器具を表す模式的斜視図である。  
図２は、薬品が一包化された包装袋の包装袋帯を例示する模式的平面図である。  
図３は、図１に表した切断面Ａ−Ａにおける模式的断面図である。  
図４は、図３に表した切断面Ｂ−Ｂにおける模式的断面図である。  
なお、図１は、説明の便宜上、薬品管理器具を分解した状態を表している。
【００１０】
図１、図３および図４に表した薬品管理器具１０は、ケーシング１１０と、操作部１２０と、送り部１４１と、カセット２００と、を備える。ケーシング１１０の内部には、空洞部１０１が設けられている。カセット２００は、ケーシング１１０の空洞部１０１に収納可能とされている。
【００１１】
ケーシング１１０の右側部１１１には、凹部１１１ａと、窓部１１１ｃ（第２の窓部）と、が設けられている。凹部１１１ａの幅Ｄ３（前後方向の長さ）は、例えば約２ミリメートル（ｍｍ）の倍数である。凹部１１１ａの数は、図１に表した数（図１では４つ）に限定されるわけではない。ケーシング１１０の上部１１３には、窓部１１３ａ（第１の窓部）が設けられている。ケーシング１１０の前部１１５には、取出口１１６と、貼付部１１７と、が設けられている。ケーシング１１０の内部は、取出口１１６を通してケーシング１１０の外部とつながっている。貼付部１１７は、ケーシング１１０の前部１１５の表面から後退した位置に設けられている。例えば、貼付部１１７は、凹形状を呈する。貼付部１１７の第１の長さＤ１は、例えば約４センチメートル（ｃｍ）以上６ｃｍ以下程度である。貼付部１１７の第２の長さＤ２は、例えば約７ｃｍ以上９ｃｍ以下程度である。
【００１２】
図１および図４に表したように、操作部１２０は、ケーシング１１０の右側方および左側方にそれぞれ設けられている。操作部１２０は、回転軸１３１によりケーシング１１０に対して回転自在に軸支されている。図３に表したように、回転軸１３１は、軸受け１３３と軸押さえ１３５との間に挟設されている。回転軸１３１は、操作部１２０と連結され、操作部１２０の回転とともに回転する。操作部１２０は、把持部１２１と、操作孔１２３と、を有する。例えば、使用者は、把持部１２１を持ち操作部１２０を回転させることができる。あるいは、使用者は、操作孔１２３に指などを入れ操作部１２０を回転させることができる。これにより、回転軸１３１は、操作部１２０とともに回転することができる。
【００１３】
図１および図３に表したように、軸押さえ１３５は、左右方向に延在する側面１３５ａを有する。側面１３５ａは、ケーシング１１０に近づくにつれて軸押さえ１３５の内側へ向かう傾斜面を有する。一方、図１に表したデジタル時計１５０は、係合部１５１を有する。係合部１５１は、軸押さえ１３５の側面１３５ａと係合可能である。例えば、デジタル時計１５０を左右方向へ移動させることにより、デジタル時計１５０を軸押さえ１３５に取り付けることができる。なお、軸押さえ１３５に取り付ける部品は、デジタル時計１５０だけに限定されず、例えばデジタル温度計や写真立てなどであってもよい。
【００１４】
送り部１４１は、例えば、スポンジやゴムなどの弾性を有する材料を含む。送り部１４１は、回転軸１３１により、ケーシング１１０に対して回転自在に軸支されている。送り部１４１は、回転軸１３１に取り付けられ、回転軸１３１とともに回転する。そのため、使用者が操作部１２０を回転させると、送り部１４１は、回転軸１３１を介して操作部１２０から伝達されたトルク（回転力）により回転する。  
あるいは、送り部１４１は、例えば樹脂や金属などを含む歯車であってもよい。送り部１４１が歯車である場合にも、送り部１４１は、回転軸１３１に取り付けられ、回転軸１３１とともに回転する。そのため、使用者が操作部１２０を回転させると、送り部１４１は、回転軸１３１を介して操作部１２０から伝達されたトルク（回転力）により回転する。
【００１５】
カセット２００は、後部２２０と、上部２３０と、左側部２４０と、を有する。また、カセット２００は、内部に設けられた空洞部２０１を有する。図４に表したように、カセット２００の空洞部２０１において、回転軸２１１が左側部２４０に設けられている。回転軸２１１は、左側部２４０から右側方へ向かって延在している。回転軸２１１の周囲には、パイプ２１３が設けられている。言い換えれば、パイプ２１３が回転軸２１１に挿入されている。回転軸２１１の端部には、ストッパ部２１５が設けられている。パイプ２１３は、左側部２４０とストッパ部２１５との間において、回転軸２１１に挿入された状態で回転軸２１１に対して摺動することができる。
【００１６】
図２に表した包装袋帯５０では、一回当たりに服用する薬品が１つの包装袋５１に包装（一包化）されている。包装袋帯５０は、複数の包装袋５１を有する。隣り合う複数の包装袋５１は、切断線５３を介して互いに接続されている。例えば、患者は、切断線５３において１つの包装袋５１を切り取り、その包装袋５１の中の薬品を取り出すことで、１回当たりの薬品を服用することができる。包装袋５１の表面には、表示部５５が設けられている。表示部５５には、例えば、患者名５５ａや日付５５ｂや服薬時間５５ｃなどが記載されている。なお、表示部５５に記載される事項は、患者名５５ａ、日付５５ｂおよび服薬時間５５ｃに限定されるわけではない。包装袋５１の材料としては、一般的に、樹脂や紙などが挙げられる。
【００１７】
次に、本実施形態にかかる薬品管理器具１０の使用方法について説明する。  
例えば年配の患者などは、薬品を服用するときに、包装袋帯５０の両端部のうちのいずれの端部の包装袋５１の薬品を服用すればよいか分からない場合がある。例えば、約２週間程度の薬品が処方された場合には、包装袋帯５０は、比較的長い。そのため、例えば、患者は、包装袋帯５０の両端部のうちのいずれの端部の包装袋５１の薬品から服用し始めたのか分からなくなることがある。
【００１８】
これに対して、本実施形態では、図１および図３に表したように、使用者は、カセット２００に包装袋帯５０を取り付ける。具体的には、使用者は、巻回させた状態の包装袋帯５０をカセット２００のパイプ２１３に取り付け保持させる。続いて、図３および図４に表したように、使用者は、包装袋帯５０が有する複数の包装袋５１のうちで服用を開始する薬品の包装袋５１ａを、後部２２０と、上部２３０の端部２３１と、の間の隙間を通し上面２３３に載置する。このとき、服用開始の薬品の包装袋５１ａと隣り合う包装袋５１が、服用開始の薬品の包装袋５１ａと同様に上面２３３に載置されてもよい。
【００１９】
続いて、使用者は、包装袋帯５０が取り付けられたカセット２００をケーシング１１０の空洞部１０１に挿入する。すると、図３に表したように、包装袋帯５０のうちの一部が、送り部１４１とカセット２００の上面２３３との間に挟設される。例えば、送り部１４１が弾性を有する材料を含む場合には、送り部１４１は、包装袋帯５０の幅方向（カセット２００に取り付けられた状態の包装袋帯５０の左右方向）の略全体を上面２３３の方へ押さえる。例えば、送り部１４１が歯車である場合には、送り部１４１は、包装袋帯５０の幅方向の両端部を上面２３３の方へ押さえる。但し、送り部１４１が包装袋帯５０を上面２３３の方へ押さえる形態は、これだけに限定されるわけではない。
【００２０】
続いて、使用者は、操作部１２０を図３に表した矢印Ａ１の方向に回転させる。すると、送り部１４１が操作部１２０の回転方向と同じ方向に回転する。送り部１４１が図３に表した矢印Ａ１の方向に回転すると、包装袋帯５０は、送り部１４１から力を受け、カセット２００の上を図３に表した矢印Ａ２の方向へ移動する。これにより、服用開始の薬品の包装袋５１ａがケーシング１１０の外部へ送り出され、ケーシング１１０の取出口１１６から出てくる。なお、服用途中の場合（服用開始の薬品をすでに服用済みの場合）には、包装袋帯５０のうちの端部に存在する包装袋５１がケーシング１１０の取出口１１６から出てくる。
【００２１】
本実施形態によれば、使用者は、服用すべき薬品が包装された包装袋５１をより明確に認識することができる。これにより、薬品の管理を向上させることができる。
【００２２】
前述したように、窓部１１３ａがケーシング１１０の上部に設けられている。窓部１１３ａは、光透過性の材料により形成されている。窓部１１３ａの材料としては、例えば、光透過性の樹脂やガラスなどが挙げられる。これによれば、使用者は、包装袋５１を取出口１１６から出す前に、窓部１１３ａを通して包装袋５１の表示部５５に記載された事項を確認することができる。そのため、使用者は、包装袋５１を取出口１１６から出す前に、服用する薬品が包装された包装袋５１を事前確認し、服用すべき薬品とは異なる薬品を服用することをより確実に抑えることができる。これにより、薬品の管理をより向上させることができる。
【００２３】
例えば患者名が記載されたシートや患者の顔写真などが貼付部１１７に貼られている場合には、薬品管理器具１０が複数の患者の間において取り違えられることを抑制することができる。  
また、ケーシング１１０の凹部１１１ａに装飾が施されている場合には、薬品管理器具１０が複数の患者の間において取り違えられることを抑制することができる。つまり、使用者は、ケーシング１１０の凹部１１１ａに好みに応じて装飾を施すことでオリジナルの薬品管理器具１０をデザインすることができる。これにより、薬品管理器具１０が複数の患者の間において取り違えられることを抑制することができる。
【００２４】
前述したように、ケーシング１１０の右側部１１１には窓部１１１ｃが設けられている。窓部１１１ｃは、光透過性の材料により形成されている。窓部１１１ｃの材料としては、例えば、光透過性の樹脂やガラスなどが挙げられる。そのため、使用者は、窓部１１１ｃを通してカセット２００の空洞部２０１を見ることで、包装袋帯５０の残りの包装袋５１を確認することができる。これにより、カセット２００をケーシング１１０から取り出すことなく、簡易的に包装袋帯５０の残りの包装袋５１を確認することができる。
【００２５】
例えば、使用者がカセット２００をケーシング１１０の空洞部１０１に挿入したときに、包装袋帯５０が送り部１４１と接触することで包装袋帯５０に皺が生じた場合には、使用者は、操作部１２０を図３に表した矢印Ａ３の方向へ回転させ包装袋帯５０の一部をカセット２００の空洞部２０１へ戻すことで皺を取ることができる。あるいは、図３に表したように、例えば、カセット２００をケーシング１１０の空洞部１０１に挿入したときに、服用開始の薬品の包装袋５１ａのうちの少なくとも一部が取出口１１６から外部へ出た場合には、使用者は、操作部１２０を図３に表した矢印Ａ３の方向へ回転させ包装袋帯５０の一部をカセット２００の空洞部２０１へ戻すことで服用開始の薬品の包装袋５１ａをケーシング１１０の内部に収めることができる。
【００２６】
例えば、使用者は、複数の薬品管理器具１０を連結させて使用することができる。すなわち、使用者は、複数の薬品管理器具１０を用意し、任意の薬品管理器具１０の把持部１２１を、その任意の薬品管理器具１０と隣り合う他の薬品管理器具１０の操作孔１２３に挿入する。これにより、使用者は、複数の薬品管理器具１０を連結させ、複数の操作部１２０を連動して回転させることができる。つまり、操作部１２０は、連結装置として機能する。これによれば、使用者は、複数の包装袋帯５０をまとめて管理することができる。例えば、使用者は、図示しない連結台を使用して複数の薬品管理器具１０を連結させてもよい。
【００２７】
次に、本発明の他の実施の形態について説明する。  
図５は、本発明の他の実施の形態にかかる薬品管理器具を表す模式的斜視図である。  
なお、図５は、説明の便宜上、薬品管理器具を分解した状態を表している。
【００２８】
図５に表した薬品管理器具１０ａは、ケーシング１１０ａと、カセット２００ａと、を備える。ケーシング１１０ａの右側部１１１の内面（空洞部１０１（図３参照）の側の面）には、案内部１１１ｂが設けられている。カセット２００ａは、突起部２３６を有する。突起部２３６は、カセット２００ａの上部２３０の側面２３５に設けられている。突起部２３６は、カセット２００ａの上部２３０の側面２３５から側方へ向かって突出している。  
その他の構造は、図１、図３および図４に関して前述した薬品管理器具１０の構造と同様である。
【００２９】
使用者が、包装袋帯５０が取り付けられたカセット２００をケーシング１１０ａの空洞部１０１に挿入すると、カセット２００の突起部２３６がケーシング１１０ａの案内部１１１ｂと係合する。使用者がカセット２００をケーシング１１０ａの空洞部１０１にさらに挿入すると、カセット２００の突起部２３６は、ケーシング１１０ａの案内部１１１ｂと係合しつつ案内部１１１ｂの形状に沿って移動する。図５に表したように、案内部１１１ｂは、後方から前方へ向かって一旦下方へ下がり、その後上方へ上がる形状を有する。
【００３０】
そのため、カセット２００の突起部２３６は、ケーシング１１０ａの案内部１１１ｂに沿って一旦下がる。すると、カセット２００の上部２３０は、突起部２３６の動きに伴って下方へ撓む。具体的には、上部２３０のうちの前側の部分は、カセット２００の前部２３７と結合しているため、ほとんど撓まない。一方で、上部の端部２３１は、開放端であるため、上部２３０のうちの前側の部分と比較すると大きく撓む。これにより、カセット２００の上部２３０については、上部２３０の端部２３１が、上部２３０のうちの前側の部分を略中心として下方へ湾曲する。
【００３１】
続いて、使用者がカセット２００をケーシング１１０ａの空洞部１０１にさらに挿入すると、カセット２００の突起部２３６は、ケーシング１１０ａの案内部１１１ｂに沿って上がる。すると、カセット２００の上部２３０は、突起部２３６の動きに伴って上方へ撓む。具体的には、上部２３０の端部２３１が、上部２３０のうちの前側の部分を略中心として上方へ湾曲する。
【００３２】
本実施形態によれば、使用者がカセット２００をケーシング１１０ａの空洞部１０１に挿入している途中で、包装袋帯５０が送り部１４１と接触することを抑えることができる。そのため、使用者がカセット２００をケーシング１１０ａの空洞部１０１に挿入したときに、包装袋帯５０に皺が生ずることを抑えることができる。また、使用者がカセット２００をケーシング１１０ａの空洞部１０１に挿入したときには、カセット２００の上部２３０は、突起部２３６の動きに伴って上方へ撓む。これにより、カセット２００の挿入が完了したときに、包装袋帯５０を送り部１４１により確実に接触させ、包装袋帯５０のうちの一部を送り部１４１とカセット２００の上面２３３との間により確実に挟設させることができる。
【００３３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ケーシング１１０およびカセット２００などが備える各要素の形状、寸法、材質、配置などや操作部１２０、窓部１１３ａ、凹部１１１ａ、窓部１１１ｃおよび取出口１１６などの設置形態などは、例示したものに限定されるわけではなく適宜変更することができる。  
例えば、ケーシング１１０およびカセット２００は、光透過性の材料により形成されていてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００３４】
１０、１０ａ 薬品管理器具、  ５０ 包装袋帯、  ５１、５１ａ 包装袋、  ５３ 切断線、  ５５ 表示部、  ５５ａ 患者名、  ５５ｂ 日付、  ５５ｃ 服薬時間、  １０１ 空洞部、  １１０、１１０ａ ケーシング、  １１１ 右側部、  １１１ａ 凹部、  １１１ｂ 案内部、  １１１ｃ 窓部、  １１３ 上部、  １１３ａ 窓部、  １１５ 前部、  １１６ 取出口、  １１７ 貼付部、  １２０ 操作部、  １２１ 把持部、  １２３ 操作孔、  １３１ 回転軸、  １３３ 軸受け、  １３５ 軸押さえ、  １３５ａ 側面、  １４１ 送り部、  １５０ デジタル時計、  １５１ 係合部、  ２００、２００ａ カセット、  ２０１ 空洞部、  ２１１ 回転軸、  ２１３ パイプ、  ２１５ ストッパ部、  ２２０ 後部、  ２３０ 上部、  ２３１ 端部、  ２３３ 上面、  ２３５ 側面、  ２３６ 突起部、  ２３７ 前部、  ２４０ 左側部
【要約】
【課題】薬品の管理を向上させることができる薬品管理器具を提供することを目的とする。
【解決手段】実施形態によれば、ケーシングと、操作部と、送り部と、カセットと、を備えた薬品管理器具が提供される。前記ケーシングは、空洞部を有する。前記操作部は、回転軸により前記ケーシングに対して回転自在に軸支されている。前記送り部は、前記回転軸を介して前記操作部から伝達された力により回転する。前記カセットは、それぞれに薬品が包装された複数の包装袋を有する包装袋帯を保持し、前記空洞部に挿入された状態で前記送り部と上面との間で前記包装袋帯のうちの一部を挟設する。前記送り部が所定の方向へ回転すると、前記包装袋帯が前記送り部から力を受けて移動する。前記包装袋が、前記ケーシングの外部へ送り出される。
【選択図】図１【図１】
0005631477.tif 000002
【図２】
0005631477.tif 000003
【図３】
0005631477.tif 000004
【図４】
0005631477.tif 000005
【図５】
0005631477.tif 000006